(57)【要約】【課題】会議通話中に他の通話を行っても、会議通話者に聞かれることなく他の通話者と通話を可能にする端末装置および会議システムを提供する。【解決手段】会議通話中の端末装置２ｄにおいて、他の端末装置２ｃに発信操作が行われ、これに端末装置２ｃが応答すると、会議サーバ１からの音声データに基づく音声信号の出力先がＨＳの受話器からＳＰに切り替わり、このＳＰから会議通話が出力される。これにより、端末装置２ｄのユーザは、会議通話の内容を聞くことができるので、端末装置２ｃと通話中であっても会議通話の内容について行くことが可能となる。また、端末装置２ｄの送話器に入力された音声信号に基づく音声データが、会議サーバ１に送信されないので、会議通話に端末装置２ｃと端末装置２ｄとの通話内容が含まれず、会議通話を邪魔することを防ぐことができる。【選択図】  図４
2008258686.tif 000002
【特許請求の範囲】
【請求項１】
ネットワークを介して確立された通話パスを介して音声データを送受信するインターフェース部と、
音声を音声データに変換して前記インターフェース部に出力する音声データ出力部と、
前記通話パスの確立状態に基づいて前記インターフェース部を制御する制御部と
を備え、
前記制御部は、確立された前記通話パスが複数あるときは、前記音声データ出力部から出力された音声データを第１の通話パスに送信させない
ことを特徴とする端末装置。
【請求項２】
前記インターフェース部から入力された音声データを音声に変換して出力する音声出力部を複数備え、
前記制御部は、確立された前記通話パスが複数あるときは、前記インターフェース部に第１および第２の通話パスを介してそれぞれ受信した音声データを前記第１および第２の音声出力部にそれぞれ入力させ、前記音声データ出力部から出力された音声データを前記第１の通話パスに送信させず、かつ、前記第２の通話パスに送信させる
ことを特徴とする請求項１記載の端末装置。
【請求項３】
前記制御部は、前記第２の通話パスが切断されると、前記第１の通話パスを介して受信した音声データを前記第１の音声出力部に入力させ、前記音声データ出力部から出力された音声データを前記第１の通話パスに送信させる
ことを特徴とする請求項２記載の端末装置。
【請求項４】
ネットワークを介して音声データの送受信を行う複数の端末装置と、
前記ネットワークを介して前記端末装置から受信した音声データを編集し、この編集した音声データを当該端末装置に送信するサーバ装置と
を少なくとも備える会議システムであって、
少なくとも１つの前記端末装置は、
ネットワークを介して確立された通話パスを介して音声データを送受信するインターフェース部と、
音声を音声データに変換して前記インターフェース部に出力する音声データ出力部と、
前記通話パスの確立状態に基づいて前記インターフェース部を制御する制御部と
を備え、
前記制御部は、確立された前記通話パスが複数あるときは、前記音声データ出力部から出力された音声データを第１の通話パスに送信させない
ことを特徴とする会議システム。
【発明の詳細な説明】
【技術分野】
【０００１】
本発明は、複数の端末装置と同時に通話を行うことができる端末装置および会議システムに関するものである。
【背景技術】
【０００２】
従来より、ネットワークを介して複数の端末装置間で同時に通話を行う会議通話を実現する会議システムが提案されている（例えば、特許文献１参照。）。このシステムにおいて会議通話を行う場合、まず、各端末装置は、通信サーバに接続し、ユーザから入力された音声に基づく音声データを通信サーバに送信する。この通信サーバでは、各端末装置から受信した音声データを編集処理して１つの音声データを生成し、これを各端末装置に返送する。返送された音声データに基づく音声を出力することにより、各端末装置では、通信サーバに接続された端末装置間で会議通話を行うことができる。
【０００３】
このような会議システムにおいて、会議通話中に着信が入った端末装置のユーザは、会議通話用の通話パスを保留にして会議通話から一旦離れることにより、その着信に応答するようにしている（例えば、特許文献２参照。）。これにより、通信サーバには、発信した相手との通話内容が出力されないので、会議通話を邪魔することなくその発信した相手との通話を行うことができる。
【０００４】
【特許文献１】特開平７−１２３０９０号公報
【特許文献２】特開平６−１４１０８４号公報
【発明の開示】
【発明が解決しようとする課題】
【０００５】
しかしながら、従来のシステムでは、会議通話用の通話パスを一旦保留にすることによって会議通話中に通信サーバ以外の相手との通話を実現するようにしていたので、会議通話用の通話パスを保留にした端末装置のユーザは、会議通話の内容を聞くことができず、会議通話に復帰したときに会議通話の内容について行けないことがあった。
【０００６】
そこで、本願発明は、会議通話中に他の通話を行っても、会議通話者に聞かれることなく他の通話者と通話を可能にする端末装置および会議システムを提供することを目的とする。
【課題を解決するための手段】
【０００７】
上述したような課題を解決するために、本発明に係る端末装置は、ネットワークを介して確立された通話パスを介して音声データを送受信するインターフェース部と、音声を音声データに変換してインターフェース部に出力する音声データ出力部と、通話パスの確立状態に基づいてインターフェース部を制御する制御部とを備え、制御部は、確立された通話パスが複数あるときは、音声データ出力部から出力された音声データを第１の通話パスに送信させないことを特徴とする。
【０００８】
上記端末装置において、インターフェース部から入力された音声データを音声に変換して出力する音声出力部を複数備え、制御部は、確立された通話パスが複数あるときは、インターフェース部に第１および第２の通話パスを介してそれぞれ受信した音声データを第１および第２の音声出力部にそれぞれ入力させ、音声データ出力部から出力された音声データを第１の通話パスに送信させず、かつ、第２の通話パスに送信させるようにしてもよい。
【０００９】
また、上記端末装置において、制御部は、第２の通話パスが切断されると、第１の通話パスを介して受信した音声データを第１の音声出力部に入力させ、音声データ出力部から出力された音声データを第１の通話パスに送信させるようにしてもよい。
【００１０】
また、本発明に係る会議システムは、ネットワークを介して音声データの送受信を行う複数の端末装置と、ネットワークを介して端末装置から受信した音声データを編集し、この編集した音声データを当該端末装置に送信するサーバ装置とを少なくとも備える会議システムであって、少なくとも１つの端末装置は、ネットワークを介して確立された通話パスを介して音声データを送受信するインターフェース部と、音声を音声データに変換してインターフェース部に出力する音声データ出力部と、通話パスの確立状態に基づいてインターフェース部を制御する制御部とを備え、制御部は、確立された通話パスが複数あるときは、音声データ出力部から出力された音声データを第１の通話パスに送信させないことを特徴とする。
【発明の効果】
【００１１】
本発明によれば、例えば会議通話用の第１の通話パスを含めて複数の通話パスが確立されたとき、第１の通話パス以外の通話パスを用いて通話を行うために音声データ出力部から出力された音声データが第１の通話パスに送信されないため、通話の内容を会議通話の参加者に聞かれることなく他の通話者と通話を行うことが可能となる。
【発明を実施するための最良の形態】
【００１２】
［会議システム］
以下、図面を参照して本発明の実施の形態について詳細に説明する。図１に示すように、本実施の形態に係る会議システムは、会議サーバ１と、端末装置２ａ〜２ｃと、公知のＳＩＰサーバ３とから構成され、それぞれは、ＬＡＮ（Local Area Network）、ＷＡＮ（Wide Area Network）、インターネット、電話回線等の通信回線からなるネットワーク４を介して接続されている。なお、本実施の形態では、３つの端末装置２ａ〜２ｃが設けられているが、端末装置２ａ〜２ｃの数量は３つに限定されず、適宜自由に設定することができる。便宜上、以下の説明において、端末装置２ａ〜２ｃを端末装置２として説明する。
【００１３】
＜会議サーバ＞
会議サーバ１は、図２に示すように、Ｉ／Ｆ部１１ａ〜１１ｃと、編集処理部１２と、制御部１３とから構成される。
【００１４】
Ｉ／Ｆ部１１ａ〜１１ｃは、通信回路からなり、通信回線１１ａ−１〜１１ｃ−１を介してネットワーク４に接続されている。これにより、ネットワーク４を介して端末装置２およびＳＩＰサーバ３とデータ通信を行い、各装置と音声データや制御信号などの各種データをやりとりする。このようなＩ／Ｆ部１１ａ〜１１ｃは、会議システムに参加する端末装置２の数量だけ設けられる。したがって、図１に示す会議システムの場合、３つの端末装置２ａ〜２ｃが設けられているので、図２に示すように３つのＩ／Ｆ部１１ａ〜１１ｃが設けられている。
【００１５】
編集処理部１２は、信号処理回路からなり、Ｉ／Ｆ部１１ａ〜１１ｃから入力された音声データを合成して１つの音声データ（以下、会議データという）を生成し、これをＩ／Ｆ部１１ａ〜１１ｃを介して各端末装置２へ送信する。
【００１６】
制御部１３は、ＣＰＵなどのマイクロプロセッサとその周辺回路からなり、会議サーバ１に設けられた記憶装置（図示せず）から動作プログラムを読み込んで実行することにより、上記ハードウェアとプログラムを協働させて、Ｉ／Ｆ部１１ａ〜１１ｃおよび編集処理部１２の動作や端末装置２ａ〜２ｃおよびＳＩＰサーバ３との間のデータ通信の制御を実現する。
【００１７】
＜端末装置＞
端末装置２は、Ｉ／Ｆ部２１と、音声処理部２２と、操作入力部２３と、表示部２４と、記憶部２５と、制御部２６と、ＨＳ（Hand Set）２７と、ＳＰ（Speaker）２８とを備えている。
【００１８】
Ｉ／Ｆ部２１は、通信回路からなり、通信回線２１ａを介してネットワーク４に接続されている。これにより、ネットワーク４を介して会議サーバ１、他の端末装置２およびＳＩＰサーバ３とデータ通信を行い、各装置と音声データや制御信号などの各種データをやりとりする。このようなＩ／Ｆ部２１は、同時に複数の通話パスを確立することが可能である。これにより、例えば会議サーバ１と他の端末装置２など、同時に複数の装置との間でデータ通信を行うことができる。
【００１９】
音声処理部２２は、信号処理回路からなり、Ｉ／Ｆ部２１から入力された音声データを復号化してＨＳ２７またはＳＰ２８から出力させるとともに、ＨＳ２７から入力された音声信号を音声データに符号化してＩ／Ｆ部２１に出力する。
【００２０】
操作入力部２３は、ダイヤルキーや機能キーやフックスイッチからなり、ユーザの操作を検出して制御部２６に出力する。
【００２１】
表示部２４は、ＬＥＤ（Light Emitting Diode）やＬＣＤ（Liquid Crystal Display）などの表示装置からなり、制御部２６からの指示に応じて通話状態などの各種可視表示を行う。
【００２２】
記憶部２５は、メモリやハードディスクなどの記憶装置からなり、制御データ２５ａおよびプログラム２５ｂを格納する。ここで、制御データ２５ａは、端末装置２の制御に用いる情報である。また、プログラム２５ｂは、端末装置２の動作プログラムであり、予め記憶部２５に格納される。なお、プログラム２５ｂは、ＤＶＤ（Digital Versatile Disk）やＣＤ（Compact Disk）等の記録媒体やネットワークを介して記憶部２５に格納するようにしてもよい。
【００２３】
制御部２６は、ＣＰＵなどのマイクロプロセッサとその周辺回路からなり、記憶部２５からプログラム２５ｂを読み込んで実行することにより、上記ハードウェアとプログラム２５ｂを協働させ、呼制御部２６ａおよび切替部２６ｂを実現させる。
【００２４】
呼制御部２６ａは、記憶部２５の制御データ２５ａに基づいてＩ／Ｆ部２１や音声処理部２２の動作を制御することにより、他の装置との間の呼を制御する。これにより、会議サーバ１を利用した会議通話や他の端末装置との通話が実現される。このような呼制御部２６ａは、例えば会議サーバ１と他の端末装置２など、同時に複数の呼を制御することができる。
【００２５】
切替部２６ｂは、Ｉ／Ｆ部２１および音声処理部２２を制御することにより、Ｉ／Ｆ部２１を介して受信した音声データの出力先、および、送話器２７ｂを介して入力された音声データの送信先を切り替える。
【００２６】
ＨＳ（Hand Set）２７は、音声処理部２２から入力された音声信号を音声に変換して外部に出力する受話器２７ａと、ユーザ等のから発せられた音声を検出しこれを音声データに変換して音声処理部２２に入力する送話器２７ｂとから構成される。
【００２７】
ＳＰ（Speaker）２８は、音声処理部２２から入力された音声信号を音声に変換して外部に出力する。
【００２８】
［会議システムの動作］
次に、図４，図５を参照して、会議通話中における他の端末装置との通話動作について説明する。
【００２９】
＜着信応答動作＞
まず、図４を参照して、会議通話中における着信への応答動作について説明する。この図４においては、端末装置２ａ〜２ｃ間で会議通話が行われている際に、端末装置２ｄから端末装置２ｃに対して着信があった場合を例に説明する。なお、端末装置２ｄは、端末装置２ａ〜２ｃと同等の構成を有するものとする。
【００３０】
端末装置２ｂが保留中（ステップＳ１）の端末装置２ａおよび通話中（ステップＳ２）の端末装置２ｃと同時に会話を行う、すなわち会議通話を行う場合、当該会議通話を要求する旨の操作入力を操作入力部２３が検出すると（ステップＳ３）、制御部２６の呼制御部２６ａは、ＳＩＰサーバ３に対して当該会議通話を要求する旨の制御信号（会議要求）を送信する（ステップＳ４）。この制御信号を受信すると、ＳＩＰサーバ３は、端末装置２ａ〜２ｃに対して、会議通話の要求に対して応答し会議サーバ１のＩＰアドレス等を含む制御信号（会議応答）を送信する（ステップＳ５〜Ｓ７）。この制御信号を受信すると、端末装置２ａ〜２ｃの呼制御部２６ａは、Ｉ／Ｆ部２１、ネットワーク４およびＩ／Ｆ部１１ａ〜１１ｃを介して会議サーバ１との通話パスをそれぞれ形成し、この通話パスを用いて音声データの送受信を行う（ステップＳ８〜Ｓ１０）。これにより、端末装置２ａ〜２ｃとの間の会議通話が実現される。
【００３１】
具体的には、端末装置２ａ〜２ｃのＨＳ２７の送話器２７ｂから入力された音声信号は、音声処理部２２により音声データに符号化され、Ｉ／Ｆ部２１およびネットワーク４を介して会議サーバ１に送信される。この会議サーバ１において、端末装置２ａ〜２ｃから受信した音声データは、端末装置２ａ〜２ｃにそれぞれ１対１に対応するＩ／Ｆ部１１ａ〜１１ｃから編集処理部１２に入力され、この編集処理部１２により１つの音声データからなる会議データに合成される。この会議データは、Ｉ／Ｆ部１１ａ〜１１ｃから対応する端末装置２ａ〜２ｃに送信され、各端末装置２ａ〜２ｃの音声処理部２２により復号化されてＨＳ２７の受話器２７ａから出力される。これにより、ＨＳ２７を用いた端末装置２ａ〜２ｃ間の会議通話が実現される（ステップＳ１１〜Ｓ１３）。
【００３２】
このように端末装置２ａ〜２ｃで会議通話が行われている状態において、端末装置２ｄの操作入力部２３が端末装置２ｃに対する発信操作を検出すると（ステップＳ２１）、制御部２６の呼制御部２６ａは、ＳＩＰサーバ３に対して端末装置２ｃとの通話を要求する旨の制御信号（発信要求）を送信する（ステップＳ２２）。この制御信号を受信すると、ＳＩＰサーバ３は、端末装置２ｃに対して、端末装置２ｄから通話が要求されている旨を示す制御信号（発信要求応答）を送信する（ステップＳ２３）。この制御信号を受信すると、端末装置２ｃの呼制御部２６ａは、ＬＥＤを点灯させたりＬＣＤに着信が入った旨を表示させたりするなど表示部２４に端末装置２ｄから着信が入った旨を表示させる（ステップＳ２４）。この表示に基づいて、例えば特定のキーを押下するなど端末装置２ｄからの着信に応答するための操作入力を操作入力部２３が検出すると、端末装置２ｃの呼制御部２６ａは、端末装置２ｄからの着信に応答する旨の制御信号（応答要求）をＳＩＰサーバ３に送信する（ステップＳ２２）。この制御信号を受信すると、ＳＩＰサーバ３は、端末装置２ｄに対して端末装置２ｃが通話に応じる旨を示す制御信号（応答要求応答）を送信する（ステップＳ２３）。すると、端末装置２ｃと端末装置２ｄの呼制御部２６ａは、Ｉ／Ｆ部２１およびネットワーク４を介して互いの間で通話パスを形成する。これにより、端末装置２ｃは、会議サーバ１および端末装置２ｄという二つの装置間との間で通話パスが確立される。
【００３３】
呼制御部２６ａにより二つの通話パスが確立されると、端末装置２ｃの切替部２６ｂは、音声処理部２２により、先に確立した通話パスを介して受信した音声データ、すなわち会議サーバ１から受信した会議データに基づく音声信号の出力先をＨＳ２７の受話器２７ａからＳＰ２８に切り替えるとともに、無音パケットを会議サーバ１に送信させる（ステップＳ２８〜Ｓ３０）。これにより、ＳＰ２８からは、会議サーバ１から受信した会議データに基づく音声信号、すなわち会議通話の音声が出力される。また、会議サーバ１に対しては、ＨＳ２７の送話器２７ｂに入力された音声信号に基づく音声データではなく無音パケットが出力される。なお、無音パケットは音声処理部２２または記憶部２５に格納されており、切替部２５ｄは、音声処理部２２または記憶部２５から無音パケットを取得して、会議サーバ１に送信する。
【００３４】
また、端末装置２ｃの切替部２６ｂは、音声処理部２２により、新たに確立した通話パスを介して受信した音声データ、すなわち端末装置２ｄから受信した音声データに基づく音声信号の出力先をＨＳ２７の受話器２７ａとするとともに、ＨＳ２７の送話器２７ｂから入力された音声信号に基づく音声データを新たに確立した通話パス、すなわち端末装置２ｄに送信する。したがって、端末装置２ｃと端末装置２ｄとの間で音声データの送受信が行われると（ステップＳ３１）、端末装置２ｃの送話器２７ｂに入力された音声が端末装置２ｄの受話器２７ａから出力されるとともに、端末装置２ｄの送話器２７ｂに入力された音声が端末装置２ｃの受話器２７ａから出力される。これにより、端末装置２ｃと端末装置２ｄと間で、それぞれのＨＳ２７を用いた通話が実現される（ステップＳ３２，Ｓ３３）。
【００３５】
このように、本実施の形態によれば、会議通話中の端末装置２ｃにおいて、端末装置２ｄからの着信が入り、この着信に端末装置２ｃが応答すると、会議サーバ１から受信した音声データに基づく音声信号の出力先がＨＳ２７の受話器２７ａからＳＰ２８に切り替わり、このＳＰ２８から会議通話が出力される。これにより、端末装置２ｄのユーザは、会議通話の内容を聞くことができるので、端末装置２ｄと通話中であっても会議通話の内容について行くことが可能となる。また、端末装置２ｃの送話器２７ｂに入力された音声信号に基づく音声データが会議サーバ１に出力されないので、会議サーバ１により生成される会議データには端末装置２ｃからの音声データが含まれない。これにより、会議通話の参加者に端末装置２ｃと端末装置２ｄとの通話内容を聞かれることを防ぐことが可能となる。また、端末装置２ｃと端末装置２ｄとの通話内容が会議通話に含まれないので、会議通話を邪魔することを防ぐこともできる。
【００３６】
会議通話中に端末装置２ｄと通話を行っている端末装置２ｃにおいて、当該通話を終了する旨の操作入力を操作入力部２３が検出すると（ステップＳ４１）、制御部２６の呼制御部２６ａは、ＳＩＰサーバ３に対して当該通話を終了する旨の制御信号（終話要求）を送信する（ステップＳ４２）。この制御信号を受信すると、ＳＩＰサーバ３は、端末装置２ｄに対して、端末装置２ｃとの通話を終話にする旨を示す制御信号（終話要求応答）を送信する（ステップＳ４３）。すると、端末装置２ｃと端末装置２ｄとの通話パスが切断され、端末装置２ｃと端末装置２ｄとの通話が終了する（ステップＳ４４．Ｓ４５）。
【００３７】
端末装置２ｄとの通話が終了する、すなわち確立された通話パスが１つになると、端末装置２ｃの切替部２６ｂは、音声処理部２２により、会議サーバ１から受信した会議データに基づく音声信号の出力先をＳＰ２８からＨＳ２７の受話器２７ａに切り替えるとともに、ＨＳ２７の送話器２７ｂから入力される音声信号に基づく音声データの出力先を会議サーバ１に切り替える（ステップＳ４６）。これにより、会議サーバ１と端末装置２ｃとの間で音声データの送受信が行われると（ステップＳ４７）、端末装置２ｃの送話器２７ｂから入力された音声信号に基づく音声データが会議サーバ１に出力されるとともに、会議サーバ１から入力された会議データに基づく音声信号が端末装置２ｃの受話器２７ａから出力されるので、端末装置２ｃにおいてＨＳ２７を用いた会議通話が実現される（ステップＳ４８）。
【００３８】
このように、本実施の形態によれば、端末装置２ｄとの通話が終了すると、会議サーバ１から受信した会議データに基づく音声信号の出力先がＳＰ２８からＨＳ２７の受話器２７ａに切り替わるとともに、ＨＳ２７の送話器２７ｂから入力される音声信号に基づく音声データの出力先が会議サーバ１に切り替わることより、端末装置２ｃのユーザは、会議通話に復帰することができる。このとき、端末装置２ｃのユーザは、端末装置２ｄとの通話中に会議通話の内容を聞くことができるので、会議通話に復帰したときに円滑に会議通話の内容について行くことが可能となる。
【００３９】
＜発信動作＞
次に、図５を参照して、会議通話中における発信動作について説明する。この図５においては、端末装置２ａ〜２ｃ間で会議通話が行われている際に、端末装置２ｃから端末装置２ｄに対して発信する場合を例に説明する。なお、図５において、端末装置２ａ〜２ｃ間による会議通話を開始するまでの動作（ステップＳ１〜Ｓ１３）については、図４と同等の符号を付し、適宜説明を省略する。
【００４０】
端末装置２ａ〜２ｃで会議通話が行われている状態（ステップＳ１〜Ｓ１３）において、端末装置２ｃのユーザが端末装置２ｄとの通話を行う場合、当該ユーザは、例えば保留ボタンを押下することにより会議サーバ１との会議通話を保留にした後、例えば端末装置２ｄの電話番号をダイヤルするなどの端末装置２ｄに対する発信操作を行う。これらの操作入力を操作入力部２３が検出すると（ステップＳ５１，Ｓ５２）、制御部２６の呼制御部２６ａは、ＳＩＰサーバ３に対して端末装置２ｄとの通話を要求する旨の制御信号（発信要求）を送信する（ステップＳ５３）。この制御信号を受信すると、ＳＩＰサーバ３は、端末装置２ｄに対して、端末装置２ｃから通話が要求されている旨を示す制御信号（発信要求応答）を送信する（ステップＳ５４）。この制御信号を受信すると、端末装置２ｄの呼制御部２６ａは、ＬＥＤを点灯させたりＬＣＤに着信が入った旨を表示させるなど表示部２４に端末装置２ｃから着信が入った旨を表示させる（ステップＳ５５）。この表示に基づいて、例えば特定のキーを押下するなど端末装置２ｃからの着信に応答するための操作入力を操作入力部２３が検出すると、端末装置２ｄの呼制御部２６ａは、端末装置２ｃからの着信に応答する旨の制御信号（応答要求）をＳＩＰサーバ３に送信する（ステップＳ５６）。この制御信号を受信すると、ＳＩＰサーバ３は、端末装置２ｃに対して端末装置２ｄが通話に応じる旨を示す制御信号（応答要求応答）を送信する（ステップＳ５８）。すると、端末装置２ｃと端末装置２ｄの呼制御部２６ａは、Ｉ／Ｆ部２１およびネットワーク４を介して互いの間で通話パスを形成する。
【００４１】
呼制御部２６ａにより二つの通話パスが確立されると、端末装置２ｃの切替部２６ｂは、音声処理部２２により、先に確立した通話パスを介して受信した音声データ、すなわち会議サーバ１から受信した会議データに基づく音声信号の出力先をＨＳ２７の受話器２７ａからＳＰ２８に切り替えるとともに、無音パケットを会議サーバ１に送信させる（ステップＳ５９，Ｓ６０）。これにより、ＳＰ２８からは、会議サーバ１から受信した会議データに基づく音声信号、すなわち会議通話の音声が出力される。また、会議サーバ１に対しては、ＨＳ２７の送話器２７ｂに入力された音声信号に基づく音声データが出力されない。
【００４２】
また、端末装置２ｃの切替部２６ｂは、音声処理部２２により、新たに確立した通話パスを介して受信した音声データ、すなわち端末装置２ｄから受信した音声データに基づく音声信号の出力先をＨＳ２７の受話器２７ａとするとともに、ＨＳ２７の送話器２７ｂから入力された音声信号に基づく音声データを新たに確立した通話パス、すなわち端末装置２ｄに送信する。したがって、端末装置２ｃと端末装置２ｄとの間で音声データの送受信が行われると（ステップＳ６２）、端末装置２ｃの送話器２７ｂから入力された音声信号が端末装置２ｄの受話器２７ａから出力されるとともに、端末装置２ｄの送話器２７ｂから入力された音声信号が端末装置２ｃの受話器２７ａから出力される。これにより、端末装置２ｃと端末装置２ｄの間で、それぞれのＨＳ２７を用いたの通話が実現される（ステップＳ６３，Ｓ６４）。
【００４３】
このように、本実施の形態によれば、会議通話中の端末装置２ｃにおいて、端末装置２ｄに対して発信操作が行われ、これに端末装置２ｄが応答すると、会議サーバ１から受信した音声データに基づく音声信号の出力先がＨＳ２７の受話器２７ａからＳＰ２８に切り替わり、このＳＰ２８から会議通話が出力される。これにより、端末装置２ｄのユーザは、会議通話の内容を聞くことができるので、端末装置２ｄと通話中であっても会議通話の内容について行くことが可能となる。また、端末装置２ｃの送話器２７ｂに入力された音声信号に基づく音声データは、会議サーバ１に出力されないので、会議サーバ１により生成される会議データには端末装置２ｃからの音声データが含まれない。これにより、会議通話の参加者に通話内容を聞かれることなく、端末装置２ｃと端末装置２ｄとの通話を行うことが可能となる。また、会議通話に端末装置２ｃと端末装置２ｄとの通話内容が含まれないので、会議通話を邪魔することも防ぐことができる。
【００４４】
なお、本実施の形態においては、通話パスを確立した順番に応じて音声データの送信先および受信した音声データの出力先を切り替えるようにしたが、通話パスを形成した相手に応じて切り替えるようにしてもよい。この場合、例えば会議サーバ１など特定の相手とともに他の装置と同時に複数の通話パスが形成された場合、切替部２６ｂは、特定の相手である会議サーバ１から受信した音声データに基づく音声をＳＰ２８から出力させるとともに、会議サーバ１に対して無音パケットを送信する。この特定の相手か否かの判定は、記憶部２５にＩＰアドレスなどの特定の相手を識別する情報（識別情報）を記憶しておき、呼制御部２６ａにより複数の通話パスが確立されたときに、切替部２６ｂにより、確立した通話パスと識別情報とを比較することにより行うことができる。これにより、相手に応じて、音声データの送信先および受信した音声データの出力先を切り替えることができる。
【００４５】
また、本実施の形態においては、３つの端末装置２ａ〜２ｃにより会議通話を行うようにしたが、会議通話に参加する端末装置の数量は３つに限定されず、適宜自由に設定することができる。
【００４６】
また、本実施の形態においては、会議通話中に端末装置２ｄと通話を行う場合、会議データに基づく音声信号をＳＰ２８から出力するようにしたが、ＨＳ２７の受話器２７ａから端末装置２ｄから受信する音声データに基づく音声信号と混ぜて出力するようにしてもよい。また、音声処理部２２において、音声データおよび音声信号のやりとりを行う通話パスを切り替えながら、会議データに基づく音声信号をＳＰ２８から出力するようにしてもよい。これにより、複数の通話パスは確立しているものの、一度に出力することができる音声信号の数が限られている場合であっても、会議通話中に通話の内容を聞かれることなく他の相手と通話を行うことが可能となる。
【産業上の利用可能性】
【００４７】
本発明は、同時に複数の装置と音声データの送受信を行うことができるシステムや端末装置に適用することができる。
【図面の簡単な説明】
【００４８】
【図１】本発明に係る会議システムの構成を示す模式図である。
【図２】会議サーバの構成を示すブロック図である。
【図３】端末装置の構成を示すブロック図である。
【図４】会議通話中に着信が入った端末装置の動作を示すタイミングチャートである。
【図５】会議通話中に発信を行った端末装置の動作を示すタイミングチャートである。
【符号の説明】
【００４９】
１…会議サーバ、２，２ａ〜２ｄ…端末装置、３…ＳＩＰサーバ、４…ネットワーク、１１ａ〜１１ｃ…Ｉ／Ｆ部、１１ａ−１〜１１ｃ−１…通信回線、１２…編集処理部、１３…制御部、２１…Ｉ／Ｆ部、２１ａ…通信回線、２２…音声処理部、２３…操作入力部、２４…表示部、２５…記憶部、２５ａ…制御データ、２５ｂ…プログラム、２６…制御部、２６ａ…呼制御部、２６ｂ…切替部、２７…ＨＳ、２７ａ…受話器、２７ｂ…送話器、２８…ＳＰ。
【図１】
2008258686.tif 000003
【図２】
2008258686.tif 000004
【図３】
2008258686.tif 000005
【図４】
2008258686.tif 000006
【図５】
2008258686.tif 000007